(57)【要約】【課題】洗面台前方のスペース効率を悪くすることなく利便性を向上することが可能な洗面台を提供する。【解決手段】ボウル部１１と、前記ボウル部１１又は前記ボウル部１１を有するカウンタ部１２の下方において横方向に延びて設けられた幕板部２６と、を有し、前記幕板部２６が、横方向に延びた回動軸２７を中心に、板面２６Ａが立った第１姿勢と、前記板面２６Ａが前側に倒れた第２姿勢とに回動自在であり、前記幕板部２６を前記第１姿勢に保持する第１保持部２８と、前記幕板部２６を前記第２姿勢に保持する第２保持部２９とを備えている。【選択図】図４
2019162209.tif 000002
【特許請求の範囲】
【請求項１】
ボウル部と、
前記ボウル部又は前記ボウル部を有するカウンタ部の下方において横方向に延びて設けられた幕板部と、を有し、
前記幕板部が、軸線が横向きの回動軸を中心に、板面が立った第１姿勢と、前記板面が前側に水平に倒れた第２姿勢とに回動自在であり、
前記幕板部を前記第１姿勢に保持する第１保持部と、
前記幕板部を前記第２姿勢に保持する第２保持部とを備えている洗面台。
【請求項２】
前記幕板部の後側に、前記幕板部とともに前後方向にスライド移動自在なスライド部を有し、
前記スライド部が、前記ボウル部または前記カウンタ部の前側に引き出された状態で、物が載せられる載置部を備えている請求項１に記載の洗面台。
【請求項３】
前記載置部が、略水平に掛け渡された複数の棒状部材を備えている請求項２に記載の洗面台。
【請求項４】
前記スライド部が、前記ボウル部の下方に入り込んだ状態になる請求項２または請求項３に記載の洗面台。
【発明の詳細な説明】
【技術分野】
【０００１】
本発明は、洗面台に関する。
【背景技術】
【０００２】
従来、カウンタ部の上面にボウル部が設けられた洗面台が知られている。例えば下記特許文献１に記載の洗面台は、カウンタ部の下方に幕板が回転自在に取り付けられている。幕板の後方には収納部が設けられ、幕板の前面にはタオル掛けが突出して設けられている。この洗面台は、洗面等に必要な道具類を収納部に収納でき、またタオルをタオル掛けに掛けることができるから、利便性が向上している。
【先行技術文献】
【特許文献】
【０００３】
【特許文献１】実開昭６１−６８７８８号公報
【発明の概要】
【発明が解決しようとする課題】
【０００４】
しかしながら、上記のような構成では、カウンタ部の前方にタオル掛けが突出しているため、洗面台前方の空間が狭くなっている。この洗面台前方の空間は、タオル掛けが使用されない場合であっても狭いままであり、スペース効率が悪いという問題があった。
【０００５】
本発明は上記のような事情に基づいて完成されたものであって、洗面台前方のスペース効率を悪くすることなく利便性を向上することが可能な洗面台を提供することを目的とする。
【課題を解決するための手段】
【０００６】
本発明の洗面台は、ボウル部と、前記ボウル部又は前記ボウル部を有するカウンタ部の下方において横方向に延びて設けられた幕板部と、を有し、前記幕板部が、軸線が横向きの回動軸を中心に、板面が立った第１姿勢と、前記板面が前側に水平に倒れた第２姿勢とに回動自在であり、前記幕板部を前記第１姿勢に保持する第１保持部と、前記幕板部を前記第２姿勢に保持する第２保持部とを備えているものとしてもよい。
【発明の効果】
【０００７】
本発明によれば、常には幕板部を第１姿勢に保持しておくことで、洗面台前方の空間が狭まることを防ぐことができ、必要なときには幕板部を第２姿勢に回動して、幕板部の板面に道具類やタオル等を置くことができる。したがって、洗面台前方のスペース効率を悪くすることなく利便性を向上することができる。
【図面の簡単な説明】
【０００８】
【図１】本実施例における洗面台を示す斜視図
【図２】幕板部及びスライド部を示す斜視図
【図３】幕板部が第１姿勢に保持された状態の洗面台を示す側面図
【図４】幕板部が第２姿勢に保持された状態の洗面台を示す側面図
【図５】スライド部が引き出された状態の洗面台を示す側面図
【発明を実施するための形態】
【０００９】
本発明の好ましい形態を以下に示す。
本発明の洗面台は、前記幕板部の後側に、前記幕板部とともに前後方向にスライド移動自在なスライド部を有し、前記スライド部が、前記ボウル部または前記カウンタ部の前側に引き出された状態で、物が載せられる載置部を備えているものとしてもよい。このような構成によれば、必要に応じて、スライド部をカウンタ部の前方に引き出し、幕板部の板面に加えて載置部にも物を置くことができるから、利便性をより向上することができる。
【００１０】
また、本発明の洗面台は、前記載置部が、略水平に掛け渡された複数の棒状部材を備えているものとしてもよい。このような構成によれば、載置部に物を置くだけでなく、棒状部材にタオル等を掛けることができるから、利便性をより向上することができる。
【００１１】
また、本発明の洗面台は、前記スライド部が、前記ボウル部の下方に入り込んだ状態になるものとしてもよい。このような構成によれば、スライド部の載置部を広くすることができるから、利便性をより向上することができる。
【００１２】
＜実施例＞
以下、本発明を具体化した一実施例について、図１〜図５を参照しつつ詳細に説明する。
本実施例における洗面台１０は、図１に示すように、ボウル部１１と、ボウル部１１を有するカウンタ部１２と、を備え、カウンタ部１２の下方にはキャビネット２０が備えられている。以下、各構成部材において、図１の上側を上方、下側を下方、右手前側（使用者に面する側）を前方、左奥側を後方として説明する。
【００１３】
ボウル部１１は、カウンタ部１２の上面から下方に凹んだ形態をなし、カウンタ部１２の略中央に設けられている。ボウル部１１は、カウンタ部１２に一体成形されている。カウンタ部１２の前端部１３は、キャビネット２０の前面より、一段前方に突出している。
【００１４】
キャビネット２０は、床面に設置されるとともにカウンタ部１２を支持するキャビネット本体２１を備えている。キャビネット本体２１には各種の洗剤や道具等を収納することができる収納部２２が備えられている。
【００１５】
収納部２２は、複数（本実施例では２つ）の引出部２３Ａ，２３Ｂを有している。引出部２３Ａ，２３Ｂは、キャビネット本体２１に対し、前後方向にスライド移動自在とされている。引出部２３Ａ，２３Ｂは、キャビネット本体２１の左右方向の全幅にわたる大きさを有している。引出部２３Ａ，２３Ｂは、上下に並んで設けられている。
【００１６】
引出部２３Ａ，２３Ｂは、上面が開放された箱状をなす引出本体部２４と、引出本体部２４の前端に板状をなして立つ前板部２５とを供えている。前板部２５は、引出本体部２４の全体がキャビネット本体２１の内部に納まった状態においてキャビネット２０の前面を構成する。前板部２５は、図１に示すように、横方向に長い略長方形の板状をなしている。上側の引出部２３Ａの引出本体部２４及び前板部２５は、下側の引出部２３Ｂの引出本体部２４及び前板部２５より高さ寸法が小さくされている（図３参照）。前板部２５は、引出本体部２４よりも上下両側及び左右両側に突出した大きさを有し、前板部２５の周縁部に指を引っ掛けて引出部２３Ａ，２３Ｂを引き出すことができる。
【００１７】
キャビネット２０の上端部（カウンタ部１２の下方）には、幕板部２６が設けられている。幕板部２６は、図１に示すように、横方向に長い略長方形の板状をなし、キャビネット２０の左右方向の全幅にわたっている。幕板部２６は、図３に示すように、引出部２３Ａ，２３Ｂの前板部２５と板厚寸法（前後方向の寸法）が同等とされている。幕板部２６は、前板部２５より図３における上下方向の寸法が小さくされている。幕板部２６の高さ寸法は、ボウル部１１の深さ寸法と同等とされている。すなわち、幕板部２６の下端はボウル部１１の最下端と概ね同じ高さに位置している。幕板部２６及び前板部２５によりキャビネット２０の前面全体が覆われている。
【００１８】
幕板部２６は、軸線が横向きの回動軸２７を中心に、図３に示すように、板面２６Ａが立った第１姿勢と、図４に示すように、板面２６Ａがカウンタ部１２の前側に倒れた第２姿勢とに回動自在とされている。幕板部２６の回動については後ほど詳しく説明する。
【００１９】
幕板部２６の後側には、幕板部２６とともに前後方向に移動自在なスライド部３０が設けられている。スライド部３０は、図２に示すように、略方形の枠状をなす木製のスライド本体部３１を有している。スライド本体部３１の左右方向の寸法は、キャビネット２０の左右方向の全幅にわたる寸法とされている。スライド本体部３１及びキャビネット本体２１の左右両側には、スライド部３０のスライド移動を案内するガイド部（図示せず）が設けられている。
【００２０】
スライド本体部３１は、図２に示すように、左右一対の側縁部３２と、一対の側縁部３２の前端を連結する前縁部３３と、一対の側縁部３２の後端を連結する後縁部３４とを備えている。側縁部３２、前縁部３３及び後縁部３４は、いずれも細長い略長方形の板状をなしている。側縁部３２及び後縁部３４は、スライド本体部３１がキャビネット本体２１に取り付けられた状態で、板面が水平面に対して略垂直をなしている。
【００２１】
前縁部３３は、一対の側縁部３２の上面側にかけ渡された上前縁部３３Ａと、下面側にかけ渡された下前縁部３３Ｂとを備えている。側縁部３２のうち上前縁部３３Ａに対応する部分は、上方に突出した突出部３６とされている。上前縁部３３Ａ及び下前縁部３３Ｂは、スライド本体部３１がキャビネット本体２１に取り付けられた状態で、板面が略水平をなしている。上前縁部３３Ａの板面と下前縁部３３Ｂの板面とは、上下方向に対向している。スライド部３０の前端部には、左右一対の側縁部３２と上下一対の前縁部３３Ａ，３３Ｂとにより、前後方向に開口した開口部３５が形成されている。
【００２２】
スライド部３０の前端部には、幕板部２６を第１姿勢に保持する第１保持部２８と、幕板部２６を第２姿勢に保持する第２保持部２９と、スライド部３０と幕板部２６とを連結する連結部４０とが設けられている。第１保持部２８、第２保持部２９及び連結部４０については後ほど詳しく説明する。
【００２３】
スライド部３０は、図３に示すように、カウンタ部１２の下方に収まった状態（以後、第１状態と称する）と、図５に示すように、カウンタ部１２から前方に引き出された状態（以後、第２状態と称する）とになる。第１状態では、スライド部３０は、ボウル部１１の下方に入り込んだ状態になる。スライド部３０は、ボウル部１１の前後方向における中央位置まで入り込んでいる。
【００２４】
スライド部３０は、第２状態において、物が載せられる載置部３７を備えている。載置部３７は、略水平に掛け渡された複数の棒状部材３８を備え、複数の棒状部材３８の上側に、物を載せることができる。
【００２５】
棒状部材３８は、図２に示すように、左右方向に延び、スライド部３０の全幅にわたっている。棒状部材３８は、前後方向に所定の間隔（本実施例では等間隔）をあけて、スライド本体部３１の前端から後端にわたって配され、スライド本体部３１の上面全体が載置部３７として使用される。
【００２６】
各棒状部材３８は、タオル等を引っ掛けるのに適した太さを有している。各棒状部材３８の長さ方向における両端部は、側縁部３２に凹み形成された穴部３９に支持されている。これにより棒状部材３８は、スライド本体部３１に固定されている。棒状部材３８は、側縁部３２の上端より一段下がった位置に配されている。
【００２７】
さて、幕板部２６は、図３に示すように、板面２６Ａが立った第１姿勢と、図４に示すように、板面２６Ａがカウンタ部１２の前側に倒れた第２姿勢とに回動自在とされている。そして、洗面台１０は、幕板部２６を第１姿勢に保持する第１保持部２８と、幕板部２６を第２姿勢に保持する第２保持部２９とを備えている。
【００２８】
幕板部２６が第１姿勢に保持されているときには、図３に示すように、幕板部２６の前後両板面２６Ａは、水平面に対して略垂直をなしている。また幕板部２６が第１姿勢に保持されているときには、幕板部２６の前側の板面２６Ａが、引出部２３Ａ，２３Ｂの前面と面一（前後方向において揃った位置）に配される。スライド部３０の開口部３５は、第１姿勢の幕板部２６によって閉塞される。
【００２９】
幕板部２６が第２姿勢に保持されているときには、図４に示すように、幕板部２６の前後両板面２６Ａは、水平面に対して略平行をなしている。幕板部２６が第２姿勢に保持されているときには、上側に配された板面２６Ａに、物を置くことができる。
【００３０】
幕板部２６は、連結部４０により、スライド部３０の前端部に回動自在に連結されている。連結部４０は、図２に示すように、スライド本体部３１の左右方向における両端部に設けられている。連結部４０は、第１アーム部４１と第２アーム部４２とを有している。
【００３１】
第１アーム部４１は、スライド本体部３１の側縁部３２に取り付けられている。第１アーム部４１は、側縁部３２の突出部３６においてアームの延び方向（長手方向）が上下方向を向いている。第１アーム部４１の上端部はスライド本体部３１に回動自在に固定されている。
【００３２】
第２アーム部４２は、アームの延び方向における一端部が第１アーム部４１の下端に回動自在に連結されるとともに、他端部が幕板部２６に回動自在に連結されている。
【００３３】
幕板部２６は、第１アーム部４１と第２アーム部４２との連結部分を中心に回動自在とされている。すなわち第１アーム部４１と第２アーム部４２との連結部分が、幕板部２６の回動軸２７を構成している。回動軸２７は、図３に示すように、第１姿勢における幕板部２６の下端に位置し、回動軸２７の軸線は左右方向に略水平に向いている。
【００３４】
連結部４０は、第１アーム部４１と第２アーム部４２との開き角度を、幕板部２６が第２姿勢になったところで止めるストッパ機構を備えている。すなわち連結部４０は、幕板部２６を第２姿勢に保持する第２保持部２９を構成している。幕板部２６は、回動軸２７を回動中心として概ね９０度回動できるようになっている。
【００３５】
幕板部２６を第１姿勢に保持する第１保持部２８は、図３に示すように、幕板部２６及びスライド本体部３１の左右方向における中央部に設けられている。第１保持部２８は、例えばプッシュラッチまたはマグネットラッチ等であり、幕板部２６を第１姿勢に保持するロック状態と、幕板部２６の回動を許容するロック解除状態とをワンタッチ操作で変えられるものである。すなわち、第１姿勢に保持された状態の幕板部２６を指先で軽く後方に押すことによりロック解除操作がなされ、幕板部２６を第１姿勢に保持するときには、幕板部２６を後方に軽く押し付けるだけでロック操作がなされる。
【００３６】
次に、本実施例における洗面台１０の使用例について説明する。
洗面台１０の近傍に物を置く必要がない場合には、図３に示すように、幕板部２６を第１姿勢に保持し、またスライド部３０を第１状態にしておく。これにより、洗面台１０前方に突出した部分がなくなり、洗面台１０前方の空間を広く使用することができる。また、キャビネット２０の前面が前板部２５及び幕板部２６で覆われてすっきりしているため見栄えをよくすることができる。
【００３７】
洗面台１０の近傍に物を置きたい場合には、図４に示すように、幕板部２６を第１姿勢から第２姿勢に回動させる。幕板部２６を軽く後方に押して第１保持部２８のロックを解除し、幕板部２６を容易に第２姿勢にできる。第２姿勢になった幕板部２６の板面２６Ａには、例えばコンタクトレンズ等の小物や、洗面時のタオル、入浴前後の衣服等を置くことができる。物を置いて用事を済ませたら、幕板部２６を回動して後方に軽く押し付けることにより幕板部２６を容易に第１姿勢にできる。
【００３８】
洗面台１０の近傍により大きい物、またより多くの物を置きたい場合には、図５に示すように、幕板部２６を前方に引っ張って、スライド部３０を引き出す（第２状態にする）。これにより幕板部２６の板面２６Ａに加えて、スライド部３０の載置部３７に物を置くことができるから、より大きい物、またより多くの物を洗面台１０の近傍に置くことができる。そして、用事を済ませたら、幕板部２６を立たせてスライド部３０をキャビネット２０に収容する（第１状態にする）。スライド部３０は、ボウル部１１に接触することなくスムーズにキャビネット２０に収容される。
【００３９】
また、洗面台１０の近傍にタオル等を干したい場合には、スライド部３０を第２状態にして、棒状部材３８にタオルを干すことができる。このとき同時に、載置部３７に物を置くこともできる。
【００４０】
次に、上記のように構成された実施例の作用および効果について説明する。
本実施例の洗面台１０は、ボウル部１１と、ボウル部１１を有するカウンタ部１２と、カウンタ部１２の下方において横方向に延びて設けられた幕板部２６と、を有し、幕板部２６が、軸線が横向きの回動軸２７を中心に、板面２６Ａが立った第１姿勢と、板面２６Ａが前側に倒れた第２姿勢とに回動自在であり、幕板部２６を第１姿勢に保持する第１保持部２８と、幕板部２６を第２姿勢に保持する第２保持部２９とを備えている。この構成によれば、常には幕板部２６を第１姿勢に保持しておくことで、洗面台１０前方の空間が狭まることを防ぐことができ、必要なときには幕板部２６を第２姿勢に回動して、幕板部２６の板面２６Ａに道具類やタオル等を置くことができる。したがって、洗面台１０前方のスペース効率を悪くすることなく利便性を向上することができる。
【００４１】
また、幕板部２６の後側に、幕板部２６とともに前後方向にスライド移動自在なスライド部３０が設けられ、スライド部３０が、カウンタ部１２の前側に引き出された状態で、物が載せられる載置部３７を備えている。この構成によれば、必要に応じて、スライド部３０をカウンタ部１２の前側に引き出し、幕板部２６の板面２６Ａに加えて載置部３７にも物を置くことができるから、利便性をより向上することができる。
【００４２】
また、載置部３７が、略水平に掛け渡された複数の棒状部材３８を備えている。この構成によれば、載置部３７に物を置くだけでなく、棒状部材３８にタオル等を掛けることができるから、載置部３７の用途が増し、利便性をより向上することができる。
【００４３】
また、スライド部３０が、カウンタ部１２の下方においてボウル部１１の下方に入り込んだ状態になる。この構成によれば、スライド部３０の載置部３７を広くすることができるから、利便性をより向上することができる。
【００４４】
＜他の実施例＞
本発明は上記記述及び図面によって説明した実施例に限定されるものではなく、例えば次のような実施例も本発明の技術的範囲に含まれる。
（１）上記実施例では、棒状部材３８がスライド本体部３１に固定されているが、これに限らず、棒状部材はスライド本体部に対し着脱自在としてもよい。
（２）上記実施例では、載置部３７が複数の棒状部材３８を備えているが、これに限らず、載置部は、例えば物を載せることが可能な板状の部材または網状の部材を備えるものとしてもよく、このような場合、板状部材または網状部材をスライド本体部に対し着脱自在としてもよい。
（３）上記実施例では、複数の棒状部材３８がスライド部３０の略全体に配されているが、これに限らず、例えばスライド部の一部に棒状部材を配置し、他の部分に板状部材や網状部材を配置しても良い。
（４）上記実施例では、カウンタ部１２の下方にキャビネット２０が備えられているが、これに限らず、本発明は、キャビネットを備えていない洗面台にも適用でき、例えばカウンタ部の下方がフレームのみの洗面台であってもよい。
（５）上記実施例では、洗面台１０がカウンタ部１２を備えているが、これに限らず、本発明は、カウンタ部を備えていない洗面台にも適用でき、例えばキャビネットの上面全体と同じ大きさのボウル部又はキャビネットの上面全体より大きいボウル部を有する洗面台であってもよい。
（６）上記実施例では、収納部２２が引出部２３Ａ，２３Ｂを有している場合を例示したが、これに限らず、収納部は、キャビネット本体の単なる内部空間であってもよく、例えば棚等で仕切られた空間であってもよい。
（７）上記実施例では、ボウル部１１がカウンタ部１２に一体成形されているが、これに限らず、例えばボウル部がカウンタ部の上面に据え置かれたものであってもよい。
（８）上記実施例では、幕板部２６を第２姿勢にしてスライド部３０を引き出す場合を例示したが、これに限らず、幕板部を第１姿勢に保持したままスライド部を引き出すようにしてもよい。
【符号の説明】
【００４５】
１０…洗面台
１１…ボウル部
１２…カウンタ部
２６…幕板部
２６Ａ…板面
２７…回動軸
２８…第１保持部
２９…第２保持部
３０…スライド部
３７…載置部
３８…棒状部材
【図１】
2019162209.tif 000003
【図２】
2019162209.tif 000004
【図３】
2019162209.tif 000005
【図４】
2019162209.tif 000006
【図５】
2019162209.tif 000007